(57)【特許請求の範囲】
【請求項１】
ハウジング内に着脱されるＩＣカードの挿入及び排出方向にスライド移動可能なスライド部材と、このスライド部材を前記ＩＣカードの排出方向へ付勢する復帰ばねと、この復帰ばねの付勢力に抗して前記スライド部材を、前記ＩＣカードが挿着された位置に保持するロック部材とを備え、前記ロック部材は、回動可能に支持され、前記スライド部材に係脱可能な係止部と、この係止部を前記スライド部材との係合状態から離脱する方向へ回動させる回動操作部と、前記スライド部材と当接可能な押圧操作部とを有し、前記スライド部材は、一端側に前記係止部に係合する係合突部と、前記押圧操作部と当接する押圧部とを有し、前記ＩＣカードの挿入時、前記スライド部材がＩＣカードの挿入方向に移動する際に、前記押圧部が前記押圧操作部を押圧して前記ロック部材を回動させることにより前記ＩＣカードが挿着された位置で前記係止部を前記係合突部に係合させ、前記ＩＣカードの排出時、前記回動操作部が操作されて前記ロック部材が回動されることにより前記係止部と前記係合突部との係合が外れると共に、前記押圧操作部が前記押圧部をＩＣカードの排出方向へ押圧するのに伴って前記復帰ばねの付勢力で前記スライド部材をＩＣカードの排出方向へ移動させるようにしたことを特徴とするＩＣカード用コネクタ。
【請求項２】
前記スライド部材がＩＣカードの挿入方向に移動され、前記係止部と前記係合突部が係合された時、前記押圧操作部と前記押圧部が近接位置で対峙するように、前記ロック部材を固定部材に回動可能に支持させたことを特徴とする請求項１記載のＩＣカード用コネクタ。
【請求項３】
前記固定部材を、前記ハウジング又は、このハウジングに取り付けられるフレームで形成したことを特徴とする請求項２記載のＩＣカード用コネクタ。
【請求項４】
前記スライド部材に、回動可能なイジェクトアームを配設し、このイジェクトアームが前記ハウジング内に着脱される前記ＩＣカードに係合されることにより、前記ＩＣカードの挿入及び排出に伴って、前記イジェクトアームを介して前記スライド部材が挿入及び排出方向にスライド移動するようにしたことを特徴とする請求項１乃至３の何れかに記載のＩＣカード用コネクタ。
【請求項５】
前記イジェクトアームには、第１及び第２のアーム部を形成し、前記ＩＣカードの挿入時には前記第１のアーム部が前記ＩＣカードに係合することにより前記スライド部材が前記ＩＣカードの挿入方向へ移動され、前記ＩＣカードの排出時には前記第２のアーム部が前記ＩＣカードに係合することにより前記スライド部材が前記ＩＣカードの排出方向へ移動されると共に、前記スライド部材が前記ＩＣカードの排出位置まで移動された時、前記イジェクトアームが回動することにより、前記ＩＣカードを引き出し可能としたことを特徴とする請求項４記載のＩＣカード用コネクタ。
【発明の詳細な説明】
【０００１】
【発明の属する技術分野】
本発明は、パーソナルコンピュータなどの記憶媒体などに用いられるＰＣカードや、デジタルカメラなどの電子機器などに使用されるＣＦ（コンパクトフラッシュ）カードなどに使用される、ＩＣカード用コネクタの構造に関する。
【０００２】
【従来の技術】
パーソナルコンピュータの増設記録装置としてＩＣカード用コネクタが一般的に使用されている。このＩＣカード用コネクタの記憶媒体としてはＩＣカードが広く使用さるようになってきている。
【０００３】
このＩＣカードをＩＣカード用コネクタに挿着して必要な情報の書き込み、及び読み取りを行うが、このＩＣカードを着脱する場合に、その操作性を向上させるために、ＩＣカード用コネクタにはＩＣカードを排出する時の排出機構を備えたものがある。
【０００４】
この従来のＩＣカードの排出機構としては、ＩＣカードを搬送するスライド部材と、このスライド部材をＩＣカードの挿着位置に保持させるロック部材と、このロック部材が解除された場合にはスライド部材を排出方向へ付勢するばね部材を設け、スライド部材の排出方向への移動に伴ってＩＣカードが排出される時、このばね部材の付勢力でＩＣカードが排出方向へ押し出される構造となったものが知られている。
【０００５】
【発明が解決しようとする課題】
しかしながら、上述した従来のＩＣカード用コネクタの構造においては、ＩＣカードの挿入時にロック部材とスライド部材との係合がうまく行われない場合にはＩＣカードを挿着位置に保持することができなくなる。また、ＩＣカードの排出時にロック部材とスライド部との係合を解除させた場合においてもスライド部材が静的摩擦などの影響により動かない場合にはＩＣカードを排出することができなくなるという問題があった。
【０００６】
したがって、本発明では上述した問題点を解決し、ＩＣカードの排出機構を備えたＩＣカード用コネクタの構造で、ＩＣカードの挿入時にはロック部材により確実にスライド部材をＩＣカードの挿着位置に保持すると共に、ＩＣカードの排出時にはスライド部材を動作させて確実にＩＣカードを排出させることができるＩＣカード用コネクタを提供することを目的とする。
【０００７】
【課題を解決するための手段】
上記課題を解決するために本発明では第１の手段として、ハウジング内に着脱されるＩＣカードの挿入及び排出方向にスライド移動可能なスライド部材と、このスライド部材を前記ＩＣカードの排出方向へ付勢する復帰ばねと、この復帰ばねの付勢力に抗して前記スライド部材を、前記ＩＣカードが挿着された位置に保持するロック部材とを備え、前記ロック部材は、回動可能に支持され、前記スライド部材に係脱可能な係止部と、この係止部を前記スライド部材との係合状態から離脱する方向へ回動させる回動操作部と、前記スライド部材と当接可能な押圧操作部とを有し、前記スライド部材は、一端側に前記係止部に係合する係合突部と、前記押圧操作部と当接する押圧部とを有し、前記ＩＣカードの挿入時、前記スライド部材がＩＣカードの挿入方向に移動する際に、前記押圧部が前記押圧操作部を押圧して前記ロック部材を回動させることにより前記ＩＣカードが挿着された位置で前記係止部を前記係合突部に係合させ、前記ＩＣカードの排出時、前記回動操作部が操作されて前記ロック部材が回動されることにより前記係止部と前記係合突部との係合が外れると共に、前記押圧操作部が前記押圧部をＩＣカードの排出方向へ押圧するのに伴って前記復帰ばねの付勢力で前記スライド部材をＩＣカードの排出方向へ移動させるようにしたことを特徴とする。
【０００８】
また、第２の手段として、前記スライド部材がＩＣカードの挿入方向に移動され、前記係止部と前記係合突部が係合された時、前記押圧操作部と前記押圧部が近接位置で対峙するように、前記ロック部材を固定部材に回動可能に支持させたことを特徴とする。
【０００９】
また、第３の手段として、前記固定部材を、前記ハウジング又は、このハウジングに取り付けられるフレームで形成したことを特徴とする。
【００１０】
また、第４の手段として、前記スライド部材に、回動可能なイジェクトアームを配設し、このイジェクトアームが前記ハウジング内に着脱される前記ＩＣカードに係合されることにより、前記ＩＣカードの挿入及び排出に伴って、前記イジェクトアームを介して前記スライド部材が挿入及び排出方向にスライド移動するようにしたことを特徴とする。
【００１１】
また、第５の手段として、前記イジェクトアームには、第１及び第２のアーム部を形成し、前記ＩＣカードの挿入時には前記第１のアーム部が前記ＩＣカードに係合することにより前記スライド部材が前記ＩＣカードの挿入方向へ移動され、前記ＩＣカードの排出時には前記第２のアーム部が前記ＩＣカードに係合することにより前記スライド部材が前記ＩＣカードの排出方向へ移動されると共に、前記スライド部材が前記ＩＣカードの排出位置まで移動された時、前記イジェクトアームが回動することにより、前記ＩＣカードを引き出し可能としたことを特徴とする。
【００１３】
【発明の実施の形態】
以下、本発明の一実施例を図１乃至図２８に示す。図１は本発明のＩＣカード用コネクタを示す平面図、図２はハウジングの平面図、図３は同じく正面図、図４はＩＣカードの平面図、図５は同じく底面図、図６はスライド部材の平面図、図７は同じく側面図、図８はイジェクトアームの平面図、図９は同じく側面図、図１０はスライドユニット部の説明図、図１１はフレームの平面図、図１２は同じく上面図、図１３はロック部材の平面図、図１４は解除部材の平面図、図１５は同じく側面図、図１６は解除部材とスライド部材との嵌合状態を示す説明図、図１７はカバーの平面図、図１８は同じく側面図である。
【００１４】
図において、ハウジング１は、合成樹脂などの絶縁材で形成されており、このハウジング１には、内部に後述するＩＣカード３が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。
【００１５】
前記ハウジング１の一端側には、後述するフレーム４と係合してフレーム４を前記ハウジング１に取付けるための取付用凹部１ｂが形成されている。また、この取付用凹部１ｂに近接して、前記ハウジング１の一端側には切り欠き部１ｃが設けられており、この切り欠き部１ｃを設けることにより、後述するイジェクトアーム８の回動時に、このイジェクトアーム８の各アーム部８ａ、８ｂの回動を妨げないようにしている。
【００１６】
ＩＣカード３は、内部に集積回路（ＩＣ）が収納されており、記録媒体として広く使用されているものである。このＩＣカード３の底面側には、その一端側に複数の接点部３ａが形成されており、この接点部３ａが前記ハウジング１の収納部１ａに設けられた複数の接触端子２ａと接触することにより、外部に接続された電子機器との種々の情報処理が行われるものとなっている。
また、前記ＩＣカード３には、その一側部に、後述するイジェクトアーム８の第２のアーム部８ｂが係合される凹部３ｂが設けられている。
【００１７】
フレーム４は、合成樹脂などの絶縁材で略方形に形成されており、このフレーム４の先端部には、前記ハウジング１の前記取付用凹部１ｂに係合して、前記ハウジング１と一体的に取付けられる、取付用突部４ａを有する取付腕部４ｂが設けられている。また、前記フレーム４の周面部には後述するカバー１１を係合する係合爪部４ｃが複数個設けられている。
また、このフレーム４の略中央部には凹状の平坦部４ｄが設けられており、この平坦部４ｄに後述するスライド部材７が配設されるものとなっている。この平坦部４ｄの下端部には、後述するコイルばね９が係止される係止凹部４ｅが設けられており、これと平行してスライド部材７の復帰用の復帰ばね５を係止するフック部４ｆが設けられている。
また、前記平坦部４ｄの上端側には、後述するロック部材６を係止する係止軸４ｇが設けられており、また、前記平坦部４ｄの中央には後述するスライド部材７の摺動突起７ｇが摺動する摺動溝部４ｈが設けられ、一側部には後述する解除部材１０を挟持する一対のガイド壁４ｉ、４ｉが形成されたものとなっている。
【００１８】
また、前記平坦部４ｄにはループ状のカム溝部４ｊが設けられている。このカム溝部４ｊには、後述するスライド部材７に係合されたイジェクトアーム８に設けられたカムピン８ｄが摺動され、このカムピン８ｄがスライド部材７の移動に伴って前記カム溝部４ｊ内を移動することにより、イジェクトアーム８の回動が規制されるものとなっている。
【００１９】
ロック部材６は合成樹脂などの絶縁材で略Ｔ字状に形成されており、このロック部材６の中央には、前記フレーム４の係止軸４ｇに係止される係止孔６ａと、後述するスライド部材７に係脱可能な係止部６ｂが形成されている。また、この係止孔６ａを挟んで対向する一端側には、前記係止部６ｂとスライド部材７との係合状態を離脱する方向へ前記ロック部材６を回動させるための回動操作部６ｃが形成されている。この回動操作部６ｃの他端側には、後述するスライド部材７に当接し、スライド部材７がＩＣカードの挿入方向に移動した時に、その動きに連動して前記係止部６ｂをスライド部材７に係合させると共に、前記回動操作部６ｃが操作された時には、その動きに連動してスライド部材７をＩＣカードの排出方向へ押圧するための押圧操作部６ｄが形成されている。
【００２０】
スライド部材７は合成樹脂などの絶縁材で形成されており、このスライド部材７の一端側には前記ロック部材６の係止部６ｂと係合される係合突部７ａが設けられ、更に先端側が前記ロック部材６の押圧操作部６ｄと当接される押圧部７ｂとなっている。また、このスライド部材７の中央には、前記フレーム４に係止される前記復帰ばね５の一端側が係止されるフック部７ｃが形成され、このフック部７ｃの上面側には、外方へ突出して設けられた後述する解除部材１０に嵌合される戻しアーム部７ｄが形成されている。
また、前記スライド部材７の略中央部には開口部７ｅが設けられており、この開口部７ｅの中央には、後述するイジェクトアーム８が回動可能に取付けられる軸部７ｆが突出して設けられている。また、前記スライド部材７の両端部には前記フレーム４の摺動溝部４ｈに摺動される摺動突起７ｇが形成されている。
前記スライド部材７は、前記フレーム４の平坦部４ｄ内に配設され、前記復帰ばね５によって、前記フレーム４上を上下方向、即ち前記ＩＣカード３の挿入、排出方向へ移動可能となるように取り付けられるものとなっている。
【００２１】
イジェクトアーム８は、合成樹脂などの絶縁材で略円盤状に形成されており、このイジェクトアーム８には、円盤状の外形から外方へ延出された、第１及び第２のアーム部８ａ、８ｂが形成されている。この第１のアーム部８ａは、前記ＩＣカード３の挿入時に、前記ＩＣカード３の前端部に係合されるように設けられている。また、前記第２のアーム部８ｂは、その先端部の形状が略円形とされており、前記ＩＣカード３の一側部に形成された凹部３ｂと係合され、この凹部３ｂ内を回動しながら係脱されるように設けられている。
【００２２】
前記イジェクトアーム８には、その中央部に、軸孔８ｃが設けられており、この軸孔８ｃが、前記スライド部材７に形成された前記軸部７ｆに挿通されることにより、前記イジェクトアーム８は、前記軸部７ｆの回りに回動可能となるように取付けられるものとなっている。また、前記イジェクトアーム８の一側面部には、前記フレーム４に設けられた前記カム溝部４ｈ内を移動するピン状のカムピン８ｄが設けられている。（図１０）
【００２３】
コイルばね９は、金属線材からなる圧縮ばねで、前記フレーム４の係止凹部４ｅに収納され、前記スライド部材７がＩＣカードの排出方向に移動した時のストッパーとしての役目と、前記スライド部材７を挿入方向へ付勢する付勢部材としての役目とを兼ね備えている。
【００２４】
解除部材１０は、金属性の板材で略Ｚ字状に形成されており、この解除部材１０の両端側は平坦状に屈曲され、この一端側に前記ロック部材６の回動操作部６ｃに当接して前記ロック部材６を回動させる解除操作部１０ａが形成され、他端側に外部から治具などで操作される治具操作部１０ｂが形成されている。また、前記解除部材１０の中央には、長尺状の切り欠き溝部１０ｃが形成されており、この切り欠き溝部１０ｃ内に前記スライド部材７の戻しアーム部７ｄがスライド移動可能なように嵌合されるものとなっている。
また、前記解除部材１０は、前記スライド部材７と共に前記フレーム４に組み込まれ、前記フレーム４の一対のガイド壁４ｉ、４ｉに挟持されており、このガイド壁４ｉとの摺動抵抗を持たせることにより、外部からの電子機器などに加わる振動などにより容易に動かないように構成されている。
【００２５】
カバー１１は、金属性の板材から形成されており、このカバー１１には平板状の上板部１１ａと、この上板部１１ａから直角に折り曲げられ、前記フレーム４の係合爪部４ｃに係合される複数の係止窓部１１ｂを有する側板部１１ｃ、１１ｃが形成されている。前記カバー１１は、前記フレーム４の開口部を覆うように前記フレーム４の上面側に取り付けられるものとなっている。
【００２６】
次に、上述したＩＣカード用コネクタの動作を図１９乃至図２８で説明する。図１９乃至図２８は、本発明のＩＣカード用コネクタの挿入／排出時の動作状態を示す説明図で、図１９はハウジングにＩＣカードを挿入する初期の状態を示す説明図、図２０はＩＣカードの挿入途上の状態を示す説明図、図２１は同じくＩＣカードの挿入途上でスライド部材とロック部材が係合する直前の状態を示す説明図、図２２はＩＣカードの挿入が終了した状態を示す説明図、図２３は同じくＩＣカードの挿入終了時でスライド部材がロックされた状態を示す説明図、図２４はロックされたスライド部材が解除される状態を示す説明図、図２５はスライド部材のロックが解除部材で強制解除される状態を示す説明図、図２６はＩＣカードが排出位置まで排出された状態を示す説明図、図２７はＩＣカードの排出位置からＩＣカードを手前に引いた状態を示す説明図、図２８はＩＣカードと第２のアーム部との係合が外れてＩＣカードを排出する状態を示す説明図である。
【００２７】
まず、前記ハウジング１の収納部１ａに前記ＩＣカード３を挿入する。この時、前記イジェクトアーム８の前記第１のアーム部８ａが前記ＩＣカード３の前端部に当接し、前記第１のアーム部８ａはＩＣカードの挿入方向に押圧されることになる。（図１９）
【００２８】
この時、前記イジェクトアーム８のカムピン８ｄは、前記フレーム４の前記カム溝部４ｊによりその動きが規制されていることから、前記第１のアーム部８ａはＩＣカードの挿入方向へは回動されずに、前記スライド部材７は前記復帰ばね５の付勢力に抗してＩＣカードの挿入方向へ移動する。この時、前記イジェクトアーム８に設けられた前記カムピン８ｄが前記フレーム４に設けられた前記カム溝部４ｊ内を移動することなり、前記イジェクトアーム８はＩＣカードの挿入方向へ規制された状態で一定距離だけ回動する。（図２０）
【００２９】
更に、前記復帰ばね５の付勢力に抗して前記ＩＣカード３を挿入方向に押圧すると、前記スライド部材７はＩＣカードの挿入方向へ移動し、前記カムピン８ｄは、前記カム溝４ｊ内を移動する。この時、前記イジェクトアーム８はＩＣカードの挿入方向へ一定距離だけ回動し、この回動により前記第２のアーム部８ｂが前記ＩＣカード３の凹部３ｂに係合する。この時、前記ＩＣカード３の前記接点部３ａは前記ハウジング１の接触端子２ａと接触される。この時、前記ロック部材６は前記スライド部材７の移動に伴い反時計回りに若干回動する。（図２１）
【００３０】
次に、更に前記ＩＣカード３を挿入方向に押圧すると、前記カムピン８ｄは、更に前記カム溝４ｊに沿ってＩＣカードの挿入方向へ移動し、前記ＩＣカード３が前記ハウジング１の収納部１ａの内縁部に当接した時点で挿入が停止され、前記ＩＣカード３の前記ハウジング１への挿着が完了する。これに伴い前記スライド部材７及び前記イジェクトアーム８の移動も停止される。この時、前記スライド部材７の先端側の前記押圧部７ｂが前記ロック部材６の押圧操作部６ｄに当接し、前記押圧操作部６ｄを押圧して時計方向へ回動させることから、前記ロック部材６の前記係止部６ｂは前記スライド部材７の係合突部７ａと確実に対峙された状態となる。（図２２）
【００３１】
次に、前記ＩＣカード３への押圧を解除すると、前記スライド部材７は前記復帰ばね５の付勢力により、ＩＣカードの排出方向へ僅かだけ戻され、この時、前記係合突部７ａが前記ロック部材６の前記係止部６ｂと係合することでその位置に前記スライド部材７がロックされる。（図２３）
【００３２】
このように、前記ＩＣカード３の挿入時に、前記スライド部材７がＩＣカードの挿入方向へ移動して、前記スライド部材７の押圧部７ｂが、前記ロック部材６の押圧操作部６ｄを押圧し前記ロック部材６を時計方向へ回動させることから、前記ロック部材６の係止部６ｂと前記スライド部材７の係合突部７ａとが確実に対峙された状態となり、前記スライド部材７をＩＣカードの挿着位置にロックすることが確実に行えるものとなっている。
【００３３】
次に、前記ハウジング１に挿着した前記ＩＣカード３を排出する場合には、前記ＩＣカード３の挿着状態（図２３）から、前記ロック部材６の回動操作部６ｃを、図示しないソレノイドやモータなどで電気的に操作し、反時計方向へ回動させてやると、前記ロック部材６の前記係止部６ｂが、前記スライド部材７の係合突部７ａから外れ、前記スライド部材７は前記復帰ばね５の付勢力によりＩＣカードの排出方向へと移動される。この時、前記ロック部材６の押圧操作部６ｄが前記スライド部材７の押圧部７ｂをＩＣカードの排出方向へ押圧することから、例え前記復帰ばね５の復帰力に対して前記スライド部材７の静的摩擦が大きかったとしても、前記スライド部材７は確実にＩＣカードの排出方向へと移動されるものとなる。（図２４）
【００３４】
もし万が一、電気回路の故障などの原因で前記ロック部材６を回動させることができない時には、前記フレーム７に取り付けられた前記解除部材１０を操作することで前記ロック部材６を回動させることが可能となっている。この場合、前記ＩＣカード３の挿着状態（図２３）から、前記ロック部材６の回動操作部６ｃを、前記解除部材１０の解除操作部１０ａで、反時計方向へ回動させてやると、前記ロック部材６の前記係止部６ｂが、前記スライド部材７の係合突部７ａから外れ、前記スライド部材７は前記復帰ばね５の付勢力によりＩＣカードの排出方向へと移動される。この時、前記解除部材１０は図示しない電子機器のパネルの内部に収納されているが、パネルに設けられた小孔などから治具などを挿入し前記解除部材１０の治具操作部１０ｂを押圧することにより容易に前記ロック部材６を回動させることが可能となっている。（図２５）
また、この時、図１６に示すように前記解除部材１０と前記スライド部材７とは、お互いに前記切り欠き溝部１０ｃと前記戻しアーム部７ｄとがスライド移動可能なように遊嵌されており、前記スライド部材７の戻しアーム部７ｄは前記解除部材１０の移動を妨げないように形成されている。
【００３５】
前記スライド部材７がＩＣカードの排出方向へ移動するのに伴い、前記カムピン８ｄは前記カム溝４ｊに沿って、ＩＣカードの排出方向へ移動されることとなり、前記イジェクトアーム８はその回動が規制された状態で前記スライド部材７と共にＩＣカードの排出方向へ移動する。そして、前記コイルばね９の端部に前記スライド部材７の後端部が当接することにより、前記スライド部材７の移動が停止され、前記ＩＣカード３は排出位置に停止されるものとなる。（図２６）
【００３６】
この時、前記第２のアーム８ｂは、前記ＩＣカード３の凹部３ｂに係合しており、前記カムピン８ｄは前記カム溝４ｊでその回動が規制されていることから、前記ＩＣカード３は、前記第２のアーム部８ｂに係合された状態で前記スライド部材７と共に排出方向へ移動することとなる。この時、前記ＩＣカード３の前記接点部３ａは前記ハウジング１の接触端子２ａとの接触が解除される。（図２６）
【００３７】
この場合、前記ＩＣカード３は、前記凹部３ｂに前記第２のアーム部８ｂが係合され、前記カムピン８ｄは前記カム溝４ｊでその回動が規制されていることから、ＩＣカードの挿着状態からＩＣカードの排出方向へ前記スライド部材７が移動する途中において、前記ＩＣカード３が前記ハウジング１の収納部１ａから飛び出すことを防止することができる。
【００３８】
次に、この状態から更に前記ＩＣカード３を引き出すと、前記スライド部材７は前記コイルばね９の付勢力に抗して手前側に移動し、前記カムピン８ｄは前記カム溝４ｊに沿って初期位置へと移動し、前記イジェクトアーム８はＩＣカードの排出方向へ回動が可能な状態となる。（図２７）
【００３９】
更に、この状態から前記ＩＣカード３を引き出すと、前記イジェクトアーム８は、前記ＩＣカード３の排出方向へ回動される。この時、前記イジェクトアーム８のＩＣカードの排出方向への回動に伴って、前記第２のアーム部８ｂは、前記ＩＣカード３の前記凹部３ｂとの係合が外れることとなり、前記ＩＣカード３は前記ハウジング１の前記収納部１ａから排出される。この時、前記スライド部材７は、前記コイルばね９の付勢力でＩＣカードの挿入方向へ移動し、初期の状態の位置に戻るものとなる。（図２８）
【００４０】
この時、図１６に示すように前記解除部材１０と前記スライド部材７とは、お互いに前記切り欠き溝部１０ｃと前記戻しアーム部７ｄによって嵌合されており、前記スライド部材７がＩＣカードの排出位置に移動され停止した時（図２６）、前記戻しアーム部７ｄが前記切り欠き溝部１０ｃの一端部と当接するように形成されていることから、前記スライド部材７がＩＣカードの排出位置からＩＣカードの排出方向へ移動するのに連動して、前記解除部材１０はＩＣカードの排出方向へ移動されることにより初期位置に復帰するものとなる。（図２７）
【００４１】
このように、前記解除部材１０は、ＩＣカード３を引き出す時の前記スライド部材７の移動に連動させて初期位置に復帰するように構成されていることから、前記解除部材１０の復帰用ばねなどを別途設ける必要がなく、構成を簡単にできる。
また、前記解除部材１０は、前記フレーム４のガイド壁４ｉに挟持して摺動抵抗を持たせるように形成していることから、外部の振動などで容易に移動してしまう虞がなく、がたつきなどの発生を防止するための構造を別途設ける必要がなく、構成の簡略化が図れると共に、不慮のロック解除などの誤動作の発生を防止できるものとなっている。
【００４２】
尚、上記実施例においては、前記接点部３ａ、前記接触端子２ａが面接点タイプのＩＣカード用コネクタで説明したが、ピン／ソケットタイプのＩＣカード用コネクタにも適用できるのはもちろんである。
【００４３】
【発明の効果】
以上説明したように、本発明のＩＣカード用コネクタは、ロック部材は、回動可能に支持され、スライド部材に係脱可能な係止部と、この係止部をスライド部材との係合状態から離脱する方向へ回動させる回動操作部と、スライド部材と当接可能な押圧操作部とを有し、スライド部材は、一端側に係止部に係合する係合突部と、押圧操作部と当接する押圧部とを有し、ＩＣカードの挿入時、スライド部材がＩＣカードの挿入方向に移動する際に、押圧部が押圧操作部を押圧してロック部材を回動させることによりＩＣカードが挿着された位置で係止部を係合突部に係合させ、ＩＣカードの排出時、回動操作部が操作されてロック部材が回動されることにより係止部と係合突部との係合が外れると共に、押圧操作部が押圧部をＩＣカードの排出方向へ押圧するのに伴って復帰ばねの付勢力でスライド部材をＩＣカードの排出方向へ移動させるようにしたことから、ロック部材の係止部とスライド部材の係合突部とが確実に対峙された状態となり、スライド部材をＩＣカードの挿着位置に確実にロックすることができる。また、例え復帰ばねの復帰力に対してスライド部材の静的摩擦が大きかったとしても、スライド部材を確実にＩＣカードの排出方向へと移動させることが可能となる。
【００４４】
また、係止部と、回動操作部及び押圧操作部は、ロック部材に一体に形成されていることから、構成の簡略化が図れる。
【００４５】
また、スライド部材の一端側に、係止部に係合する係合突部と、押圧操作部に当接する押圧部を形成し、スライド部材がＩＣカードの挿入方向に移動され、係止部と係合突部が係合された時、押圧操作部と押圧部が近接位置で対峙するように、ロック部材を固定部材に回動可能に支持させたことから、簡単な構造でスライド部材を確実にロックすることができる。
【００４６】
また、固定部材を、ハウジング又は、このハウジングに取り付けられるフレームで形成したことから、構成が簡単で廉価対応が可能となる。
【００４７】
また、スライド部材に、回動可能なイジェクトアームを配設し、このイジェクトアームがハウジング内に着脱される前記ＩＣカードに係合されることにより、ＩＣカードの挿入及び排出に伴って、イジェクトアームを介してスライド部材が挿入及び排出方向にスライド移動するようにしたことから、ハウジングへのＩＣカードの挿入／排出作業を容易とすることができ、操作が確実に行える。
【００４８】
また、イジェクトアームには、第１及び第２のアーム部を形成し、ＩＣカードの挿入時には第１のアーム部がＩＣカードに係合することによりスライド部材がＩＣカードの挿入方向へ移動され、ＩＣカードの排出時には第２のアーム部がＩＣカードに係合することによりスライド部材がＩＣカードの排出方向へ移動されると共に、スライド部材がＩＣカードの排出位置まで移動された時、イジェクトアームが回動することにより、ＩＣカードを引き出し可能としたことから、ＩＣカードの挿入作業が確実に行え、かつ、ＩＣカードの挿着状態からＩＣカードの排出方向へスライド部材が移動する途中において、ＩＣカードがハウジングの収納部から飛び出すことを防止することができる。
【図面の簡単な説明】
【図１】本発明の一実施例であるＩＣカード用コネクタを示す平面図である。
【図２】本発明の同じくハウジングを示す平面図である。
【図３】本発明の同じくハウジングを示す正面図である。
【図４】本発明の同じくＩＣカードを示す平面図である。
【図５】本発明の同じくＩＣカードを示す底面図である。
【図６】本発明の同じくスライド部材を示す平面図である。
【図７】本発明の同じくスライド部材を示す側面図である。
【図８】本発明の同じくイジェクトアームを示す平面図である。
【図９】本発明の同じくイジェクトアームを示す側面図である。
【図１０】本発明の同じくスライドユニット部を示す説明図である。
【図１１】本発明の同じくフレームを示す平面図である。
【図１２】本発明の同じくフレームを示す上面図である。
【図１３】本発明の同じくロック部材を示す平面図である。
【図１４】本発明の同じく解除部材を示す平面図である。
【図１５】本発明の同じく解除部材を示す側面図である。
【図１６】本発明の同じく解除部材とスライド部材との嵌合状態を示す説明図である。
【図１７】本発明の同じくカバーを示す平面図である。
【図１８】本発明の同じくカバーを示す側面図である。
【図１９】本発明のハウジングにＩＣカードを挿入する初期の状態を示す説明図である。
【図２０】本発明の同じくＩＣカードの挿入途上の状態を示す説明図である。
【図２１】本発明の同じくＩＣカードの挿入途上でスライド部材とロック部材が係合する直前の状態を示す説明図である。
【図２２】本発明のＩＣカードの挿入が終了した状態を示す説明図である。
【図２３】本発明の同じくＩＣカードの挿入終了時でスライド部材がロックされた状態を示す説明図である。
【図２４】本発明のロックされたスライド部材が解除される状態を示す説明図である。
【図２５】本発明のスライド部材のロックが解除部材で強制解除される状態を示す説明図である。
【図２６】本発明のＩＣカードが排出位置まで排出された状態を示す説明図である。
【図２７】本発明のＩＣカードの排出位置からＩＣカードを手前に引いた状態を示す説明図である。
【図２８】本発明のＩＣカードと第２のアーム部との係合が外れてＩＣカードを排出する状態を示す説明図である。
【符号の説明】
１  ハウジング
１ａ  収納部
１ｂ  取付用凹部
１ｃ  切り欠き部
２ａ  接触端子
２ｂ  接続端子
３  ＩＣカード
３ａ  接点部
３ｂ  凹部
４  フレーム
４ａ  取付用突部
４ｂ  取付腕部
４ｃ  係合爪部
４ｄ  平坦部
４ｅ  係止凹部
４ｆ  フック部
４ｇ  係止軸
４ｈ  摺動溝部
４ｉ  ガイド壁
４ｊ  カム溝部
５  復帰ばね
６  ロック部材
６ａ  係止孔
６ｂ  係止部
６ｃ  回動操作部
６ｄ  押圧操作部
７  スライド部材
７ａ  係合突部
７ｂ  押圧部
７ｃ  フック部
７ｄ  戻しアーム部
７ｅ  開口部
７ｆ  軸部
７ｇ  摺動突起
８  イジェクトアーム
８ａ  第１のアーム部
８ｂ  第２のアーム部
８ｃ  軸孔
８ｄ  カムピン
９  コイルばね
１０  解除部材
１０ａ  解除操作部
１０ｂ  治具操作部
１０ｃ  切り欠き溝部
１１  カバー
１１ａ  上板部
１１ｂ  係止窓部
１１ｃ  側板部
【図１】
0003729696.tif 000002
【図２】
0003729696.tif 000003
【図３】
0003729696.tif 000004
【図４】
0003729696.tif 000005
【図５】
0003729696.tif 000006
【図６】
0003729696.tif 000007
【図７】
0003729696.tif 000008
【図８】
0003729696.tif 000009
【図９】
0003729696.tif 000010
【図１０】
0003729696.tif 000011
【図１１】
0003729696.tif 000012
【図１２】
0003729696.tif 000013
【図１３】
0003729696.tif 000014
【図１４】
0003729696.tif 000015
【図１５】
0003729696.tif 000016
【図１６】
0003729696.tif 000017
【図１７】
0003729696.tif 000018
【図１８】
0003729696.tif 000019
【図１９】
0003729696.tif 000020
【図２０】
0003729696.tif 000021
【図２１】
0003729696.tif 000022
【図２２】
0003729696.tif 000023
【図２３】
0003729696.tif 000024
【図２４】
0003729696.tif 000025
【図２５】
0003729696.tif 000026
【図２６】
0003729696.tif 000027
【図２７】
0003729696.tif 000028
【図２８】
0003729696.tif 000029